【事件の表示】
　特許第３００９４８０号「医療診断装置」の請求項１に係る特許に対する特許異議の申立てについて、次のとおり決定する。
【結　論】
　訂正を認める。
　特許第３００９４８０号の請求項１に係る特許を維持する。
【理　由】
１．手続の経緯
　特許第３００９４８０号の請求項１ないし４に係る発明についての出願は、平成２年１２月２１日に特許出願されたもので、平成１１年１２月３日にその発明について特許の設定登録がなされた後、請求項１に係る発明の特許に対して島田洋より特許異議の申立てがなされ、取消理由通知がなされ、その指定期間内である平成１２年１２月２６日に訂正請求がなされたものである。
　
２．訂正の適否についての判断
ア）訂正の内容
　特許権者が求めている訂正の内容は次の訂正事項ａ，ｂのとおりである。
（訂正事項ａ）
　本件特許請求の範囲の請求項１の「計測手順」を、「指定表示順位」と訂正する。
（訂正事項ｂ）
　本件特許明細書の【００１１】，【００１２】段落の「計測手順」を、「指定表示順位」と訂正する。
　
イ）訂正の目的の適否、新規事項の有無及び拡張・変更の存否
　訂正事項ａは、請求項１に記載される「計測手順」とあるのを、発明の詳細な説明の欄に記載されている「指定表示順位」と訂正するもので、明りょうでない記載の釈明を目的とするものと認められる。
　そしてこの訂正は、明細書において「まず、画像表示装置６の画像表示面に表示しようとする記号・語句等のキャラクタを予めその表示位置の指定とともに記憶させるメモリ（ＲＡＭ１０）を備えるものである。そして、このメモリ（ＲＡＭ１０）は、複数個の記号・語句等のそれぞれが表示順位を指定されて記憶されるようになっている。この場合の表示順位としては、記憶順位に対応させているものである。」（【００４１】段落）、「そして、メモリ（ＲＡＭ１０）に記憶された記号・語句等を読み出すとともに前記画像表示面の指定表示位置に表示させる表示指令手段を備えるものである。そして、この表示指令手段は、その操作にともない指定表示順位の順に前記記号・語句等を読み出し前記画像表示装置６に表示するようになっている。」（【００４２】段落）と記載されていることから、願書に添付した明細書または図面に記載した事項の範囲内の補正であり、実質上特許請求の範囲を拡張し又は変更するものではない。
　訂正事項ｂは、訂正事項ａにおいてなされた訂正の記載との整合をとるために訂正するもので、明瞭でない記載の釈明を目的とし、願書に添付した明細書または図面に記載した事項の範囲内の補正であり、また実質上特許請求の範囲拡張し又は変更するものではない。
　
ウ）むすび
　以上のとおりであるから、上記訂正は、特許法等の一部を改正する法律（平成６年法律第１１６号。）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
３．特許異議の申立てについての判断
ア）本件発明
　本件請求項１に係る発明（以下、「本件発明」という。）は、訂正明細書及び図面の記載からみて、それぞれ、特許請求の範囲の請求項１に記載された次の事項により特定されるとおりのものである。
「【請求項１】　診断結果等が画像表示される画像表示装置を備えた医療診断装置において、
診断画像及び診断結果に係わる所望の記号・語句等を指定表示順位により、予めその表示位置の指定とともに入力させる又は消去させる入力手段と、この入力手段より入力された又は消去された記号・語句等を表示位置の指定とともに記憶させる記憶手段と、該記憶手段に記憶された記号・語句等を読み出すとともに前記画像表示面の指定表示位置に表示させる表示指令手段とを備え、前記診断画像及び診断結果に係わる所望の記号・語句等のそれぞれが表示順位を指定されて記憶されるとともに、前記表示指令手段は、その操作にともない指定表示順位の順に前記記号・語句等を読み出すようになっていることを特徴とする医療診断装置。」
　
イ）申立ての理由の概要
　申立人島田洋は、以下ａ），ｂ）の点を理由として、本件請求項１に係る発明の特許は、取り消されるべき旨、主張している。
ａ）甲第１号証（実願平１−３００２号（実開平２−９３８７７号）のマイクロフィルム）、甲第２号証（特開昭６３−２７２３３２号公報）、参考資料（実願昭６１−３５６９８号（実開昭６２−１４９３０６号）のマイクロフィルム）記載の発明に基づいて当業者が容易に発明をすることができたものであるから、特許法第２９条第２項の規定により特許を受けることができない。
ｂ）請求項１に係る発明の「計測手順」に関する具体的な記載が「発明の詳細な説明」の欄に無く、また「計測手順により、予めその表示位置の指定とともに入力させる又は消去させる」とは「発明の詳細な説明」の欄に明瞭に示されておらず不明瞭である。
　したがって、請求項１に係る発明は「特許を受けようとする発明が詳細な説明に記載されたもの」ではないことから請求項１に係る発明は、３６条５項の規定を満たしておらず、また「計測手順」などの記載を欠くため、「当業者が容易に実施できる程度に、その発明の構成」が記載されていないことから、特許法３６条４項の規定を満たしていない。
　
ウ）甲第１ないし２号証及び参考資料１に記載された事項
　異議申立人が提出した甲第１ないし２号証及び参考資料には、以下の事項が記載されている。
ａ）甲第１号証
「ビデオカメラ、特に撮影時にその録画面にタイトルを写しこむ機構の改良に関」（明細書１頁１３−１４行）し、
「以下、図面を参照して、本考案の一実施例につき説明する。レンズ１で集束された画像は撮像素子２により電気信号に変換され、信号処理回路３により影像信号として出力される。この影像信号には合成器４によりタイトル信号が合成される。
　タイトルの設定時、あるいは録画にタイトルを挿入する時には、スイッチ５をオンとして、前記合成器４にタイトル信号を導く。タイトル信号作成部は、キャラクタジェネレータ６，メモリ７，制御回路８，設定パネル９から構成される。メモリ７には、タイトル設定に必要な各種文字の他、任意にユーザが設定したタイトルが記憶される。キャラクタジェネレータ６は、所定の文字のパターンを発生する。制御回路８は、設定パネル９からの入力信号により、タイトルの設定および、撮影時のタイトル読出し、映像信号の合成を行なわせる。
　第２図（ａ）は設定パネル９の平面図で、１０がタイトル設定切替スイッチ、１１が選択スイッチ、１２が送りスイッチである。第２図（ｂ）はビューファインダ画面１３上に表われる設定時のタイトル表示例を示すもので、上部にタイトル番号１４が、下部に設定箇所を示すドット１５（１）〜１５（１０）が示されている。
　次に、本考案における動作につき説明する。
先ず、タイトル設定動作を順に示す。スイッチ５をオンとして、映像信号としてタイトル表示関係の映像出力を出力し、ビューファインダを見ながら次の順でタイトル設定をなす。
（１）タイトル設定切替スイッチ１０を押すことで設定モードとする。
（２）設定モードになると、ビューファインダ画面１３上に左端ドット１５（１）が点滅し、設定箇所であることを知らせる。
（３）送りスイッチ１２の＋キー，−キーを押すと、第３図に示す文字・記号列が移動して表われてくるので、所定の文字・記号を設定する。
（４）次に選択スイッチ１１を押すと、ドット１５（２）が点滅し、設定箇所であることを示し、前述と同様に所定の文字・記号を設定する。
（５）すべての文字・記号の設定が終え、タイトル設定が終了すると、タイトル設定切替スイッチ１０を押すと、今まで入力したタイトルがタイトル番号「１」としてメモリ７に記憶される。
（６）同様にして、タイトル番号「２」の設定モードに移る。必要数のタイトル設定が終われば、タイトル設定切替スイッチ１０を押すと通常モードに戻る。
　以上で、メモリ７に所定数のタイトルが記憶されるので、録画時には、そのうちの任意のタイトルを選択し映像信号と合成することで、タイトル写し込みができる。上記手順を次に示す。
（１）録画の一時停止状態において、タイトル設定切替スイッチ１０を押すと、タイトル番号「１」のタイトルが表われる。
（２）選択スイッチ１１を一回押すごとにタイトル番号が「１」→「２」→「３」と進むので、所望のタイトルが出たところでやめる。
（３）録画をスタートすれば上記設定タイトルが一緒に写し込まれる。」（明細書３頁１２行−６頁１６行）と記載されている。
　
ｂ）甲第２号証
「ウインドウ表示を行うグラフィック制御手段を有する超音波診断装置において、入力手段に生じる操作エラーを判定する入力可否判定手段と、エラーに関する表示パターンを格納している記憶手段と、前記入力可否判定手段からのエラー通知に従って前記記憶手段から表示パターンを読み出す信号とウインドウ表示指令信号と表示消去信号を出力する制御手段とを具備することを特徴とするエラー表示機能を有する超音波診断装置」（特許請求の範囲）に関し、
「入力装置８からのキー入力による各種の制御信号により、第１〜第ｎ処理回路１０−１〜１０−ｎは、送受信回路２，受信増幅回路３，ＤＳＣ４，ビデオ信号生成回路５，グラフィックコントローラ６，モニタ７等を制御する。入力装置８へのキー入力エラーがあった場合、可否判定・処理選択回路９はエラーの判定を行って第１〜第ｎ処理回路１０−１〜１０−ｎを起動せず、エラー表示・消去制御回路１１にエラーコードを通知する。エラー表示・消去制御回路１１は前記エラーコードによってエラー内容の種類，対策等操作エラーに適応した表示パターンを読み出し、グラフィックコントローラ６にウインドウ機能を“オン”にする指令をすると同時に表示パターンを送出する。ビデオ信号生成回路５はエラー表示パターンと受信画像データとを合成してビデオ信号とし、モニタ７に受信画像と重畳したウインドウ内にエラーの種類，エラーの理由，対策等を表示する。」（２頁右下欄２−２０行）と記載されている。
　
ｃ）参考文献１
「超音波を送受波して得られる画像データを表示するモニタと、文字表示用のコードデータが格納された文字メモリと、ＩＤ番号等のデータを入力する入力操作部とを備えた超音波診断装置において、
　入力操作部からの文字入力に応答して前記モニタ上の文字表示位置を縦方向に沿って順次指定する文字表示位置指定部と、
　前記入力操作部からの文字入力に基づいてこれに対応した文字コードを発生し、この文字コードを文字メモリに出力する文字コード発生部と、
文字表示開始位置を設定する信号を前記文字表示位置指定部に与えるとともに、文字表示位置指定部に与えるとともに、文字表示位置指定部と文字コード発生部の動作を制御する演算制御部と、
を備えることを特徴とする超音波診断装置。」（実用新案登録請求の範囲）に関し、
「この実施例の超音波振動装置では、入力操作部から診断の日付やＩＤ番号等のデータを文字入力する場合、最初に入力操作部からのデータを文字入力すると、この入力に応答して演算制御部は、モニタ上の文字表示開始位置を設定する信号を前記文字表示位置指定部に与えるので、文字表示位置指定部がこれに応答してモニタ上の初期の文字表示位置を指定する。そして、この指定信号が文字メモリのアドレスを指定するアドレスコントローラに与えられる。また、入力操作部からのデータ入力により、文字コード発生部からはこれに対応した文字コードが発生され、この文字コードが文字メモリに出力される。これにより、文字メモリにはモニタの初期の表示位置に対応した所定のアドレス位置に文字コードが格納される。
　入力操作部からデータを引き続いて文字入力するたびに、文字表示位置指定部は、モニタの縦方向に沿う文字表示位置を順次指定する。これにより、文字メモリには、縦方向に沿って文字コードが格納される。そして、これらの文字コードが文字メモリから読み出される。したがって、モニタ上の診断画像を除いた左右の空白部分に入力データの文字が縦方向に沿って一連に表示される。このため、入力される診断の日付や患者のＩＤ番号等のデータが読み易くなる。」（明細書４頁１９行−６頁３行）と記載されている。
　
エ）当審の判断
申立の理由ａ）について　
　まず、本件発明と甲第１号証記載の発明とを比較すると、甲第１号証に記載のビューファインダ画面１３，タイトル，設定パネル９，メモリ７，制御回路８が、それぞれ本件発明の画像表示装置，所望の記号・語句等，入力手段，記憶手段，表示指令手段に相当することから、
本件発明と甲第１号証記載の発明とは、
「撮影画像が画像表示される画像表示装置を備え、
　所望の記号・語句等を、予め入力させる入力手段と、この入力手段より入力された記号・語句等を記憶させる記憶手段と、該記憶手段に記憶された記号・語句等を読み出す表示指令手段とを備え、前記表示指令手段は、その操作にともない前記記号・語句等を読み出すようになっていることを特徴とする装置。」で一致するものの、
１）本件発明が診断結果が画像表示される画像表示装置を備える医療診断装置であるのに対し、甲第１号証記載の発明は撮影画像を画像表示させる画像表示装置を備えたビデオカメラである点、
２）本件発明の入力手段・記憶手段・表示指令手段で扱う所望の記号・語句等は、診断画像及び診断結果に係わるものであり、さらに指定された表示順位及び表示位置で入力・記憶しておき、それを順次表示するのに対し、甲第１号証記載の発明の入力手段・記憶手段・表示指令手段で扱う所望の記号・語句等は、表示順位及び表示位置を指定されていない点、
で相違している。
　上記相違点について検討すると、
甲第２号証には、「診断結果等が画像表示される画像表示装置を備えた医療診断装置において、入力手段に生じる操作エラーに係わる所望の記号・語句等を記憶する手段、表示指令する手段を備えたもの」が、参考文献１には、「診断結果等が画像表示される画像表示装置を備えた医療診断装置において、診断画像及び診断結果に係わる所望の記号・語句等を表示位置の指定とともに入力させる入力する手段、記憶する手段、表示指令する手段を備えるもの」が記載されているものの、甲第２号証及び参考文献１記載のものは、表示順位及び表示位置を予め入力、記憶しておき、それを順次表示するものではない。
　しかも本件発明が、診断画像及び診断結果に係わる所望の記号・語句等を表示順位及び表示位置を予め入力、記憶しておき、それを順次表示することにより、「診断画像の変化状態に追随して、キャラクタ表示が簡単な操作によって順次表示できる」という明細書記載の効果を奏するものと認められる。
　したがって、本件請求項１に係る発明が上記甲第１ないし２号証及び参考文献１に記載のものから容易に発明をすることができたものとはいえない。
　
申立の理由ｂ）について
　平成１２年１２月２６日付け訂正請求書により、請求項１に係る発明の「計測手順」は「指定表示順位」と訂正され、請求項１に係る発明及び詳細な説明に不明瞭な記載はない。したがって、本件発明の特許は、特許法第３６条第４項ないし５項に規定する要件を満たす出願に対してなされたものである。
　
オ）むすび
　以上のとおりであるから、特許異議申立ての理由及び証拠によっては、本件請求項１に係る発明についての特許を取り消すことはできない。
　また、他に本件請求項１に係る発明についての特許を取り消すべき理由を発見しない。
　したがって、本件請求項１に係る発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、上記の通り決定する。
【異議決定日】
平成１３年２月１日（２００１．２．１）
【訂正の要旨】
ａ．明りょうでない記載の釈明を目的として、
【請求項１】の「計測手順」を「指定表示順位」と訂正する。
ｂ．明りょうでない記載の釈明を目的として、
本件特許明細書の【００１１】及び【００１２】段落の「計測手順」を「指定表示順位」と訂正する。
（５４）【発明の名称】
医療診断装置
（５７）【特許請求の範囲】
　【請求項１】
　診断結果等が画像表示される画像表示装置を備えた医療診断装置において、診断画像及び診断結果に係わる所望の記号・語句等を
指定表示順位
　【請求項２】
　請求項１記載の医療診断装置において、前記表示指令手段は、ワンタッチキーとしたことを特徴とする医療診断装置。
　【請求項３】
　診断結果等が画像表示される画像表示装置を備えた医療診断装置において、前記画像表示装置の画像表示面に表示しようとする記号・語句等を予めその表示位置の指定とともに記憶させる記憶手段と、該記憶手段に記憶された記号・語句等を読み出すとともに前記画像表示面の指定表示位置に表示させる表示指令手段とを備え、前記画像表示面に表示された記号・語句等のそれぞれが表示順位を指定されて記憶されるとともに、前記表示指令手段は、その操作にともない指定表示順位の順に前記記号・語句等を読み出すようになっており、薬物注入器により薬物が注入されその薬物の注入状態をも映像される断層像の場合において、前記表示指令手段は、前記薬物注入器の操作によって発生するトリガ信号としたことを特徴とする医療診断装置。
　【請求項４】
　診断結果等が画像表示される画像表示装置を備えた医療診断装置において、前記画像表示装置の画像表示面に表示しようとする記号・語句等を予めその表示位置の指定とともに記憶させる記憶手段と、該記憶手段に記憶された記号・語句等を読み出すとともに前記画像表示面の指定表示位置に表示させる表示指令手段とを備え、前記画像表示面に表示された記号・語句等のそれぞれが表示順位を指定されて記憶されるとともに、前記表示指令手段は、その操作にともない指定表示順位の順に前記記号・語句等を読み出すようになっており、心電波形図が映像されている場合において、前記表示指令手段は、ペースメーカの操作によって発生するトリガ信号としたことを特徴とする医療診断装置。
【発明の詳細な説明】
　【０００１】
　【産業上の利用分野】
　本発明は、医療診断装置に係り、特に、診断結果等が画像表示される画像表示装置を備えた医療診断装置に関する。
　【０００２】
　【従来の技術】
　たとえば、超音波診断装置では、超音波探触子から得られる断層像情報に基づいてＣＲＴモニタ等からなる画像表示装置に断層像を表示するようになっている。
　【０００３】
　そして、この場合において、診断の効率を向上させるために、表示された断層像面上に該断層像を説明するような記号・語句等を所定の箇所に表示できる（いわゆる、キャラクタ表示と称される）ようになっている。
　【０００４】
　このような記号・語句等の表示にあっては、従来、まず、表示画面上において表示しようとする箇所にカーソルを移動させ、表示箇所を指定するようになっている。
　【０００５】
　そして、この箇所にいわゆるアルファニューメリックキーボードによって一文字づつ該記号・語句等を表示するようになっていた。また、他の場合としては、表示しようとする記号・語句等を予めメモリ等に記憶させておき、それら全部を表示させた上で表示しようとする記号・語句等を選択して、その選択された記号・語句等を表示するようになっていた。
　【０００６】
　その後、表示された記号・語句等を消去する場合においては、いわゆるキャラクタ消去キーを操作する必要があった。
　【０００７】
　【発明が解決しようとする課題】
　しかしながら、このような構成からなる医療診断装置においては、キャラクタ表示の際、複数の操作段階を踏まえる必要のあるものであり、また、その表示消去にあってもその操作を要するものであった。
　【０００８】
　このため、これらの操作が、診断の際において極めて煩わしく感じるとともに、診断の妨げとなる場合があった。
　【０００９】
　たとえば、運動負荷あるいは薬剤投与等による状態変化が示される診断対象の場合には、その観察が充分になされないとともに、状態変化に追随させてキャラクタ表示を迅速に行なうことができないという問題があった。
　【００１０】
　それ故、本発明は、このような事情に基づいてなされたものであり、その目的とするところのものは、診断画像の変化状態に追随して、キャラクタ表示が簡単な操作によって順次表示できるとともに、その表示消去においても適当な時点で自動的になされるようにして、診断効率を向上させた医療診断装置を提供することにある。
　【００１１】
　【課題を解決するための手段】
　このような目的を達成するために、本発明は、基本的には、診断結果等が画像表示される画像表示装置を備えた医療診断装置において、診断画像及び診断結果に係わる所望の記号・語句等を
指定表示順位
　【００１２】
　【作用】
　このように構成した医療診断装置は、まず、画像表示装置の画像表示面に表示しようとする記号・語句等である診断画像及び診断結果に係わる所望の記号・語句等を
指定表示順位
　【００１３】
　そして、記憶手段に記憶された記号・語句等を読み出すとともに前記画像表示面の指定表示位置に表示させる表示指令手段を備えるものである。そして、この表示指令手段は、その操作にともない指定表示順位の順に前記記号・語句等を読み出し前記画像表示装置に表示するようになっている。この場合の表示指令手段としては、例えばワンタッチキーからなり、したがって、このキーを順次操作（押す操作）していくことにより、それら各操作時点で瞬時に所定の記号・語句が順次表示されることになる。
　【００１４】
　さらに、画像表示面に表示された記号・語句等を所定時間後に消去させる手段が備えられていることから、その消去操作を要することはなくなる。
　【００１５】
　このことからして、オペレータは、急激な変化状態を生じる診断画像にあっても、それに追随して、たとえばワンタッチキー等からなる表示指令手段のみを操作していくだけで済むことから、診断においてその操作が妨げとなることは全くなくなり、診断の効率を向上させることができるようになる。
　【００１６】
　【実施例】
　図２は、本発明による医療診断装置の一実施例を示す概略ブロック構成図である。
　【００１７】
　同図において、超音波探触子１があり、この超音波探触子１は超音波送受信回路２によって駆動され、この駆動によって被検体内へ超音波ビームが送信され、また、超音波反射エコー信号をとらえた超音波探触子１からの出力は、前記超音波送受信回路２によって受信されるようになっている。
　【００１８】
　超音波送受信回路２からの出力は、Ａ／Ｄ変換器３に入力され、このＡ／Ｄ変換器３によってディジタル信号化されるようになっている。
　【００１９】
　ディジタル信号化されたＡ／Ｄ変換器３からの出力は、画像メモリ４に入力され、後述する表示装置６に表示する表示画像に対応するように画像情報が記憶されるようになっている。
　【００２０】
　画像メモリ４からの出力は、Ｄ／Ａ変換器５に入力され、このＤ／Ａ変換器５によってアナログ信号化されるようになっている。
　【００２１】
　そして、Ｄ／Ａ変換器５からの出力は、たとえばＣＲＴモニタからなる表示装置６に入力されるようになっている。この表示装置６の表示面には、前記超音波反射エコー信号に基づいて、たとえば断層像等が表示されるようになっている。
　【００２２】
　ここで、前記超音波送受信回路２および画像メモリ４等は、ＣＰＵ７によって制御されて駆動されるようになっている。
　【００２３】
　一方、ＣＰＵ７には、キーボード８からの出力が入力されるようになっている。このキーボード８は、キャラクタとなる記号・語句等を入力させるためのキー、および該記号・語句等の表示命令を入力させるためのワンタッチキーが備えられている。なお、キーボード８はその他種々の命令等を入力させるためのキーが備えられていることはいうまでもない。
　【００２４】
　また、ＣＰＵ７には、このＣＰＵ７の制御用のＲＯＭ９と、該記号・語句等の表示に必要となるデータを書き込みあるいは読み出すための記憶手段となるワーク用のＲＡＭ１０と、ＣＰＵ７にタイマ割込みを発生させるためのタイマ１１とが備えられている。
　【００２５】
　そして、後述する動作フローに基づいて動作するＣＰＵ７の出力は、グラフィックＲＡＭ１２に入力されるようになっている。このグラフィックＲＡＭ１２は、前記表示装置６に表示する記号・語句等のキャラクタ情報を書き込むようになっているものである。
　【００２６】
　ここで、前記ＣＰＵ７、ＲＯＭ９、ＲＡＭ１０、タイマ１１、およびグラフィックＲＡＭ１２の基本的動作の説明をする。
　【００２７】
　キーボード８により表示しようとする単語（表示箇所、単語、時間を含む）を入力すると、それら単語は、ＣＰＵ７を介してＲＡＭ１０に格納されるようになる。
　【００２８】
　そして、キーボード８上のワンタッチキー（表示命令キー）を押した場合、ＣＰＵ７が前記ＲＡＭ１０からその単語（表示箇所、単語、時間を含む）を読み出し、グラフィックＲＡＭ１２に格納される。この場合の格納位置は前記表示箇所と対応するものとなっている。また、同時に、タイマ１１によるタイマ割込みによる時間のカウントが開始され、そのカウント値が記憶内容の前記時間と一致した時点で該単語の消去がなされるようになっているものである。
　【００２９】
　次に、図１を用いて、ＣＰＵ７の動作フローを説明する。この動作フローは、単語表示データ設定モードと表示命令待ちモードとに分かれている。
　【００３０】
　単語表示データ設定モードにおいては、（ａ）に示すように、まず、１（Ｎ）回目に表示する単語の表示位置を入力する。この表示位置の入力としては、たとえば、断層像が表示されている画像面でカーソルを移動させることによってなされる（ステップ１）。
　【００３１】
　１（Ｎ）回目の表示単語を入力する。この表示単語の入力としては、前記キーボード８からの入力によってなされるようになっている（ステップ２）。
　【００３２】
　１（Ｎ）回目の表示単語における表示時間を入力する。この表示時間の入力は、同様に前記キーボード８からの入力によってなされるようになっている（ステップ３）。
　【００３３】
　上記単語、表示位置、および表示時間からなる内容を１（Ｎ）回目の情報として前記ＲＡＭ１０に格納される（ステップ４）。
　【００３４】
　その後、２回目以降のＮ回目においても順次同様の工程を経る。そして、所望の数の単語を入力し終った後、上述した全ての内容はバックアップメモリに格納される。このバックアップメモリヘの格納は、たとえばキーボード８上のデータストアキーによってなされるようになっている。これにより、装置の電源がオフになっても記憶は消去されることなく維持されるようになる。（ステップ５）。なお、この際、前記所望の単語の数はＭＡＸ値として記憶されることになる。
　【００３５】
　以上により、単語表示データ設定が終了する。
　【００３６】
　そして、表示命令待ちモードにおいては、（ｂ）に示すように、まず、ワンタッチキーが押されるまで待機されている状態となっている。このワンタッチキーは、オペレータが表示装置に映像されている断層像を観察しながら、単語表示をしょうとするタイミングで押されるものである（ステップ６）。
　【００３７】
　該ワンタッチキーが押された場合、１（Ｎ）回目として記憶されている情報を用いて単語を表示するようになっている。この場合における単語表示は、該単語に対応する表示位置の情報に基づいて、所定の位置に表示されるようになっている（ステップ７）。
　【００３８】
　そして、表示された単語は、その単語に対応する表示時間の情報に基づいて表示が持続され（ステップ８）、その後、消去されるようになる（ステップ９）。
　【００３９】
　次に、ワンタッチキーが２回目に押されるのを待機し、押された場合に、上述した工程が順次繰り返される。
　【００４０】
　このようにして、ワンタッチキーの操作は、その押される数（Ｎ）が前記ＭＡＸ値に対応する数に至るまでなされるようになる。
　【００４１】
　以上説明したように、本実施例による医療診断装置によれば、まず、画像表示装置６の画像表示面に表示しようとする記号・語句等のキャラクタを予めその表示位置の指定とともに記憶させるメモリ（ＲＡＭ１０）を備えるものである。そして、このメモリ（ＲＡＭ１０）は、複数個の記号・語句等のそれぞれが表示順位を指定されて記憶されるようになっている。この場合の表示順位としては、記憶順位に対応させているものである。
　【００４２】
　そして、メモリ（ＲＡＭ１０）に記憶された記号・語句等を読み出すとともに前記画像表示面の指定表示位置に表示させる表示指令手段を備えるものである。そして、この表示指令手段は、その操作にともない指定表示順位の順に前記記号・語句等を読み出し前記画像表示装置６に表示するようになっている。この場合の表示指令手段としては、ワンタッチキーからなり、したがって、このキーを順次操作（押す操作）していくことにより、それら各操作時点で瞬時に所定の記号・語句が順次表示されることになる。
　【００４３】
　さらに、画像表示面に表示された記号・語句等を所定時間後に消去させる手段が備えられていることから、その消去操作を要することはなくなる。
　【００４４】
　このことからして、オペレータは、急激な変化状態を生じる診断画像にあっても、それに追随して、ワンタッチキーからなる表示指令手段のみを操作していくだけで済むことから、診断においてその操作が妨げとなることは全くなくなり、診断の効率を向上させることができるようになる。
　【００４５】
　上述した実施例では、表示された記号・語句等は、所定時間後において全く消去されていたものであるが、図３の（ａ）に示すように、断層像上に表示された箇所の単語３１においては消去されるとともに、画像面のたとえば右上に小さく、表示された際の時刻３２とともに新たに該単語３３を表示できるようにしてもよいことはいうまでもない。さらに、この場合において、図４の（ｂ）に示すように、表示開始からの時間経過を示す時間３４をも表示させるようにしてもよい。
　【００４６】
　上述した実施例では、表示指令手段は、ワンタッチキーからの順次操作信号によって構成したものである。しかし、これに限定されず、図４の（ａ）に示すように、薬物注入器４１により薬物が注入されその薬物の注入状態をも映像される断層像の場合において、表示指令手段は、前記薬物注入器４１の操作によって発生するトリガ信号とするようにしてもよいことはいうまでもない。この場合、トリガ信号の取出手段としてセンサ４２を取付け、このセンサ４２からの出力をＣＰＵ７に入力させるようにすればよい。
　【００４７】
　また、図４の（ｂ）に示すように、心電波形図が映像されている場合において、表示指令手段として、ペースメーカの操作によって発生するトリガ信号とするようにしてもよい。この場合、該トリガ信号は、ペースメーカ４３からの出力を前記トリガ信号として用い、このトリガ信号をＣＰＵ７に入力させればよい。このようにした場合、心電波形図において、ペースメーカ操作のタイミングが明確に認識できることになるという効果を有する。
　【００４８】
なお、上述した実施例では、ワンタッチキー、薬物注入器からの出力信号を記号・語句表示の指令手段のみとして説明したものであるが、これとともに、たとえば撮影装置等の他の装置を連動させて駆動させるようにしてもよいことはもちろんである。
　【００４９】
さらに、本実施例では、超音波診断装置について説明したものであるが、この超音波診断装置に限定されることはなく、たとえば磁気共鳴イメージング装置等の他の医療診断装置の全般にわたり適用できるものである。
　【００５０】
　【発明の効果】
　以上説明したことから明らかなように、本発明による医療診断装置によれば、診断画像の変化状態に追随して、キャラクタ表示が簡単な操作によって順次表示できるとともに、その表示消去においても適当な時点で自動的になされるようにして、診断効率を向上させることができるようになる。
【図面の簡単な説明】
　【図１】
　（ａ）および（ｂ）は、本発明による医療診断装置の一実施例を示す説明図で、装置のＣＰＵの動作フローを示す図である。
　【図２】
　本発明による医療診断装置の一実施例を示すブロック構成図である。
　【図３】
　（ａ）および（ｂ）は、それぞれ本発明による医療診断装置の他の実施例を示す説明図である。
　【図４】
　（ａ）および（ｂ）は、それぞれ本発明による医療診断装置の他の実施例を示す説明図である。
　【符号の説明】
６　表示装置
７　ＣＰＵ
８　キーボード
９　ＲＯＭ
１０　ＲＡＭ
１１　タイマ
１２　グラフィックＲＡＭ